(57)【要約】【課題】登り防止用仕切板の損傷を抑制することができるエスカレータ登り防止用仕切装置を得る。【解決手段】アウターデッキ５に設けられるゴム部６１と、ゴム部６１に設けられ、高さ方向に延びた登り防止用仕切板６２とを備え、ゴム部６１は、移動手摺４の移動方向についての力が登り防止用仕切板６２に加えられた場合に、登り防止用仕切板６２の上端部が下端部よりも移動方向について前方に位置するように登り防止用仕切板６２を高さ方向に対して傾斜させる。【選択図】図３
2015227220.tif 000002
【特許請求の範囲】
【請求項１】
アウターデッキに設けられる支持部と、
前記支持部に設けられ、高さ方向に延びた登り防止用仕切板と
を備え、
前記支持部は、移動手摺の移動方向についての力が前記登り防止用仕切板に加えられた場合に、前記登り防止用仕切板の上端部が下端部よりも前記移動方向について前方に位置するように前記登り防止用仕切板を高さ方向に対して傾斜させることを特徴とするエスカレータ登り防止用仕切装置。
【請求項２】
前記登り防止用仕切板が高さ方向に対して傾斜することを検出する傾斜検出部と、
前記登り防止用仕切板が高さ方向に対して傾斜したことを前記傾斜検出部が検出した場合に、エスカレータ利用者に向かって警告音を発する警報装置と
をさらに備えたことを特徴とする請求項１に記載のエスカレータ登り防止用仕切装置。
【発明の詳細な説明】
【技術分野】
【０００１】
この発明は、アウターデッキに設けられる登り防止用仕切板を備えたエスカレータ登り防止用仕切装置に関する。
【背景技術】
【０００２】
従来、循環移動する移動手摺と、移動手摺よりも幅方向外側に設けられたアウターデッキと、アウターデッキに固定された登り防止用仕切板とを備えたエスカレータが知られている（例えば、特許文献１参照）。
【先行技術文献】
【特許文献】
【０００３】
【特許文献１】特開２０１１−４６４９０号公報
【発明の概要】
【発明が解決しようとする課題】
【０００４】
しかしながら、エスカレータ利用者の荷物が移動手摺よりも幅方向外側に位置する場合には、エスカレータ利用者の荷物が登り防止用仕切板に当たってしまい、登り防止用仕切板が損傷してしまう恐れがあるという問題点があった。
【０００５】
この発明は、登り防止用仕切板の損傷を低減させることができるエスカレータ登り防止用仕切装置を提供するものである。
【課題を解決するための手段】
【０００６】
この発明に係るエスカレータ登り防止用仕切装置は、アウターデッキに設けられる支持部と、支持部に設けられ、高さ方向に延びた登り防止用仕切板とを備え、支持部は、移動手摺の移動方向についての力が登り防止用仕切板に加えられた場合に、登り防止用仕切板の上端部が下端部よりも移動方向について前方に位置するように登り防止用仕切板を高さ方向に対して傾斜させる。
【発明の効果】
【０００７】
この発明に係るエスカレータ登り防止用仕切装置によれば、移動手摺の移動方向についての力が登り防止用仕切板に加えられた場合に、登り防止用仕切板の上端部が下端部よりも移動方向について前方に位置するように登り防止用仕切板が高さ方向に対して傾斜するので、登り防止用仕切板の損傷を低減させることができる。
【図面の簡単な説明】
【０００８】
【図１】この発明の実施の形態１に係るエスカレータの要部を示す側面図である。
【図２】図１のアウターデッキおよび登り防止用仕切装置を示す拡大図である。
【図３】図２のアウターデッキおよび登り防止用仕切装置を示す断面図である。
【図４】図２の登り防止用仕切板の上端部が下端部よりも上昇運転方向について前方に位置する場合を示す図である。
【図５】図２の登り防止用仕切板の上端部が下端部よりも下降運転方向について前方に位置する場合を示す図である。
【発明を実施するための形態】
【０００９】
実施の形態１．
図１はこの発明の実施の形態１に係るエスカレータの要部を示す側面図である。図において、エスカレータは、上階側階床と下階側階床とに渡って設けられた主枠１と、主枠１に設けられ、乗降口間を循環移動する複数の踏段２と、踏段２よりも幅方向外側に設けられた一対の欄干３と、各欄干３に設けられ、踏段２と同期して循環移動する移動手摺４と、欄干３よりも幅方向外側に設けられたアウターデッキ５と、アウターデッキ５に設けられた登り防止用仕切装置６とを備えている。
【００１０】
図２は図１のアウターデッキ５および登り防止用仕切装置６を示す拡大図、図３は図２のアウターデッキ５および登り防止用仕切装置６を示す断面図である。アウターデッキ５の上面には、凹部５１が形成されている。
【００１１】
登り防止用仕切装置６は、凹部５１に設けられたゴム部（支持部）６１と、ゴム部６１に設けられ、高さ方向に延びた登り防止用仕切板６２と、凹部５１に設けられ、登り防止用仕切板６２が高さ方向に対して傾斜することを検出する傾斜検出部６３と、エスカレータ利用者に向かって警告音を発する警報装置６４と、登り防止用仕切板６２における高さ方向に対する傾斜を規制する規制部６５とを備えている。
【００１２】
ゴム部６１は、移動手摺４の移動方向についての力が登り防止用仕切板６２に加えられた場合に、登り防止用仕切板６２の上端部が下端部よりも移動手摺４の移動方向について前方に位置するように登り防止用仕切板６２を高さ方向に対して傾斜させるように登り防止用仕切板６２を支持している。
【００１３】
移動手摺４の移動方向としては、上昇運転方向と、下降運転方向とが挙げられる。上昇運転方向とは、エスカレータが上昇運転する場合における移動手摺４の往路側部分の移動方向であり、図２の矢印Ａの方向である。下降運転方向とは、エスカレータが下降運転する場合における移動手摺４の往路側部分の移動方向であり、図２の矢印Ｂの方向である。
【００１４】
傾斜検出部６３は、登り防止用仕切板６２の上端部が下端部よりも上昇運転方向について前方に位置するように登り防止用仕切板６２が高さ方向に対して傾斜することを検出する上昇運転用検出スイッチ６３１と、登り防止用仕切板６２の上端部が下端部よりも下降運転方向について前方に位置するように登り防止用仕切板６２が高さ方向に対して傾斜することを検出する下降運転用検出スイッチ６３２とを有している。
【００１５】
上昇運転用検出スイッチ６３１は、登り防止用仕切板６２における上昇運転方向側の部分の下方に配置されている。上昇運転用検出スイッチ６３１は、登り防止用仕切板６２の上端部が下端部よりも上昇運転方向について前方に位置するように登り防止用仕切板６２が高さ方向に対して傾斜することによって登り防止用仕切板６２における上昇運転方向側の部分が下方に移動して、登り防止用仕切板６２が上昇運転用検出スイッチ６３１を押し下げることによって、登り防止用仕切板６２の傾斜を検出する。
【００１６】
下降運転用検出スイッチ６３２は、登り防止用仕切板６２における下降運転方向側の部分の下方に配置されている。下降運転用検出スイッチ６３２は、登り防止用仕切板６２の上端部が下端部よりも下降運転方向について前方に位置するように登り防止用仕切板６２が高さ方向に対して傾斜することによって登り防止用仕切板６２における下降運転方向側の部分が下方に移動して、登り防止用仕切板６２が下降運転用検出スイッチ６３１を押し下げることによって、登り防止用仕切板６２の傾斜を検出する。
【００１７】
警報装置６４は、登り防止用仕切板６２に設けられている。警報装置６４は、幅方向内側に向かって警告音を発するようになっている。つまり、警報装置６４は、エスカレータ利用者に向かって警告音を発するようになっている。なお、警報装置６４の設置場所は、登り防止用仕切板６２に限らず、例えば、建物の天井部分もしくは床部分またはアウターデッキなどであってもよい。
【００１８】
警報装置６４は、登り防止用仕切板６２が高さ方向に対して傾斜することを傾斜検出部６３が検出する場合に、エスカレータ利用者に注意を喚起する警告音を発する。
【００１９】
規制部６５は、登り防止用仕切板６２の上端部が下端部よりも上昇運転方向について前方に位置するように登り防止用仕切板６２が高さ方向に対して傾斜した場合に、登り防止用仕切板６２の傾斜を規制する上昇運転用規制体６５１と、登り防止用仕切板６２の上端部が下端部よりも下降運転方向について前方に位置するように登り防止用仕切板６２が高さ方向に対して傾斜した場合に、登り防止用仕切板６２の傾斜を規制する下降運転用規制体６５２とを有している。
【００２０】
登り防止用仕切板６２は、エスカレータが上昇運転を行う場合に、子供などが欄干３の幅方向外側から移動手摺４につかまって登ることを防止する。一方、登り防止用仕切板６２は、エスカレータが下降運転を行う場合、子供などの登りを防止する機能は必要ない。したがって、登り防止用仕切板６２の機能を維持するために、規制部６５は、登り防止用仕切板６２の上端部が下端部よりも上昇運転方向について前方に位置するように登り防止用仕切板６２が高さ方向に対して傾斜する最大傾斜角が、登り防止用仕切板６２の上端部が下端部よりも下降運転方向について前方に位置するように登り防止用仕切板６２が高さ方向に対して傾斜する最大傾斜角よりも小さくなるように、登り防止用仕切板６２における高さ方向に対する傾斜を規制するようになっている。
【００２１】
次に、登り防止用仕切装置６の動作について説明する。図４は図２の登り防止用仕切板６２の上端部が下端部よりも上昇運転方向について前方に位置する場合を示す図である。まず、エスカレータが上昇運転を行っている場合であってエスカレータ利用者の荷物（異物）１００が登り防止用仕切板６２に当たる場合について説明する。エスカレータが上昇運転を行っている場合であって、エスカレータ利用者の荷物１００が移動手摺４よりも幅方向外側に位置する場合には、荷物１００が登り防止用仕切板６２に当たる。これにより、移動手摺４の移動方向についての力が登り防止用仕切板６２に加えられ、コム部６１が弾性変形して、登り防止用仕切板６２の上端部が下端部よりも上昇運転方向について前方に位置するように登り防止用仕切板６２が高さ方向に対して傾斜する。その結果、登り防止用仕切板６２の損傷を低減させることができる。
【００２２】
登り防止用仕切板６２の上端部が下端部よりも上昇運転方向について前方に位置するように登り防止用仕切板６２が高さ方向に対して傾斜すると、登り防止用仕切板６２が高さ方向に対して傾斜することを上昇運転用検出スイッチ６３１が検出し、警報装置６４がエスカレータ利用者に対して警告音を発する。これにより、エスカレータ利用者の荷物１００が移動手摺４よりも幅方向外側にあることをエスカレータ利用者に知らせることができる。
【００２３】
登り防止用仕切板６２は、登り防止用仕切板６２が上昇運転用規制体６５１に当たるまで傾斜する。登り防止用仕切板６２が上昇運転用規制体６５１に当たることによって、これ以上、登り防止用仕切板６２の上端部が下端部よりも上昇運転方向について前方に位置するように登り防止用仕切板６２が高さ方向に対して傾斜することが規制される。
【００２４】
エスカレータ利用者の荷物１００が移動手摺４よりも幅方向内側に移動すると、荷物１００が登り防止用仕切板６２に当たらなくなり、コム部６１が元に戻るように弾性変形して、登り防止用仕切板６２が高さ方向に延びた位置に変位する。
【００２５】
図５は図２の登り防止用仕切板６２の上端部が下端部よりも下降運転方向について前方に位置する場合を示す図である。次に、エスカレータが下降運転を行っている場合であってエスカレータ利用者の荷物などが登り防止用仕切板６２に当たる場合について説明する。エスカレータが下降運転を行っている場合であって、エスカレータ利用者の荷物１００が移動手摺４よりも幅方向外側に位置する場合には、荷物１００が登り防止用仕切板６２に当たる。これにより、移動手摺４の移動方向についての力が登り防止用仕切板６２に加えられ、コム部６１が弾性変形して、登り防止用仕切板６２の上端部が下端部よりも下降運転方向について前方に位置するように登り防止用仕切板６２が高さ方向に対して傾斜する。その結果、登り防止用仕切板６２の損傷を低減させることができる。
【００２６】
登り防止用仕切板６２の上端部が下端部よりも下降運転方向について前方に位置するように登り防止用仕切板６２が高さ方向に対して傾斜すると、登り防止用仕切板６２が高さ方向に対して傾斜することを下降運転用検出スイッチ６３２が検出し、警報装置６４がエスカレータ利用者に対して警告音を発する。これにより、荷物１００が移動手摺４よりも幅方向外側にあることをエスカレータ利用者に知らせることができる。
【００２７】
登り防止用仕切板６２は、登り防止用仕切板６２が下降運転用規制体６５２に当たるまで傾斜する。登り防止用仕切板６２が下降運転用規制体６５２に当たることによって、これ以上、登り防止用仕切板６２の上端部が下端部よりも下降運転方向について前方に位置するように登り防止用仕切板６２が高さ方向に対して傾斜することが規制される。
【００２８】
エスカレータ利用者の荷物１００が移動手摺４よりも幅方向内側に移動すると、荷物１００が登り防止用仕切板６２に当たらなくなり、コム部６１が元に戻るように弾性変形して、登り防止用仕切板６２が高さ方向に延びた位置に変位する。
【００２９】
以上説明したように、この発明の実施の形態１に係る登り防止用仕切装置６によれば、移動手摺４の移動方向についての力が登り防止用仕切板６２に加えられた場合に、登り防止用仕切板６２の上端部が下端部よりも移動方向について前方に位置するように登り防止用仕切板６２が高さ方向に対して傾斜するので、登り防止用仕切板６２の損傷を抑制することができる。
【００３０】
また、登り防止用仕切装置６は、登り防止用仕切板６２が高さ方向に対して傾斜することを検出する傾斜検出部６３と、登り防止用仕切板６２が高さ方向に対して傾斜したことを傾斜検出部６３が検出した場合に、エスカレータ利用者に向かって警告音を発する警報装置６４とを備えているので、荷物１００が移動手摺４よりも幅方向外側にあることをエスカレータ利用者に知らせることができる。
【００３１】
なお、上記実施の形態１では、支持部としてゴム部６１を例に説明したが、ゴム部６１に限らず、例えば、移動手摺４の移動方向についての力が登り防止用仕切板６２に加えられた場合に、登り防止用仕切板６２の上端部が下端部よりも移動方向について前方に位置するように登り防止用仕切板６２を高さ方向に対して傾斜させるように登り防止用仕切板６２を支持する部材であればよく、例えば、ばね部などの弾性体が挙げられる。
【００３２】
また、登り防止用仕切装置６は、登り防止用仕切板６２を回転可能に支持する回動軸を有してもよい。この回動軸は、エスカレータの幅方向に延びるように配置される。これにより、登り防止用仕切板６２を高さ方向に対してより容易に傾斜させることができる。
【符号の説明】
【００３３】
１  主枠、２  踏段、３  欄干、４  移動手摺、５  アウターデッキ、６  登り防止用仕切装置、５１  凹部、６１  ゴム部（支持部）、６２  登り防止用仕切板、６３  傾斜検出部、６４  警報装置、６５  規制部、１００  荷物、６３１  上昇運転用検出スイッチ、６３２  下降運転用検出スイッチ、６５１  上昇運転用規制体、６５２  下降運転用規制体。
【図１】
2015227220.tif 000003
【図２】
2015227220.tif 000004
【図３】
2015227220.tif 000005
【図４】
2015227220.tif 000006
【図５】
2015227220.tif 000007